(57)【要約】【課題】たとえ不具合が発生したとしても、その不具合の影響を少なくすることを考慮した一斉指令放送をＳＩＰに従って受信するＩＰ電話機或いはＩＰ通信指令システムを提供する。【解決手段】ＩＰ電話機２０は、各ＩＰ通信指令交換機１００Ａ，１００Ｂに対してログイン認証処理を順次実行し、ログイン済みのＩＰ通信指令交換機を介して指令卓１０からの一斉指令放送を受信する。ＩＰ電話機２０は、一斉放送指令を受信するＩＰ指令交換機の優先順位を記憶しており、ログイン認証処理により複数のＩＰ通信指令交換機とログイン認証に成功した場合には、優先順位に従って、最も優先順位の高いＩＰ通信指令交換機を介して指令卓からの一斉指令放送を受信する。【選択図】図１
2010287960.tif 000002
【特許請求の範囲】
【請求項１】
ログイン済みのＩＰ通信指令交換機を介して指令卓からの一斉指令放送をＳＩＰに従って受信するＩＰ電話機であって、
複数のＩＰ通信指令交換機に対する優先順位を記憶する優先順位記憶部と、
一斉指令放送を受信するためのログイン認証要求を前記優先順位記憶部に記憶された各ＩＰ通信指令交換機に対して定期的に行うログイン認証要求部と、
ログイン済みのＩＰ通信指令交換機が複数存在する場合には、前記優先順位記憶部を参照して、最も優先順位の高いログイン済みのＩＰ通信指令交換機を介した指令卓からの一斉指令放送を受信する受信処理部と、
を備えることを特徴とするＩＰ電話機。
【請求項２】
指令卓を収容する複数のＩＰ通信指令交換機と、ログイン済みのＩＰ通信指令交換機を介して指令卓からの一斉指令放送をＳＩＰに従って受信するＩＰ電話機とを備えるＩＰ通信指令システムであって、
前記ＩＰ通信指令交換機は、それぞれ予め認証を許可するＩＰ電話機に対する認証情報を記憶する認証情報記憶部と、
前記ＩＰ電話機からのログイン認証要求により示された認証情報と、前記認証情報記憶部に記憶された認証情報との比較に基づいて前記ＩＰ電話機に対する認証を行う認証部と、
を備え、
前記ＩＰ電話機は、
複数のＩＰ通信指令交換機に対する優先順位を記憶する優先順位記憶部と、
一斉指令放送を受信するためのログイン認証要求を前記優先順位記憶部に記憶された各ＩＰ通信指令交換機に対して行うログイン認証要求部と、
ログイン済みのＩＰ通信指令交換機が複数存在する場合には、前記優先順位記憶部を参照して、最も優先順位の高いログイン済みのＩＰ通信指令交換機を介した指令卓からの一斉指令放送を受信する受信処理部と、
を備えることを特徴とするＩＰ通信指令システム。
【請求項３】
請求項２に記載のＩＰ通信指令システムにおいて、
前記ＩＰ通信指令交換機は、複数の指令卓を収容し、それぞれの指令卓が属する指令グループごとに運用状態をアクティブ状態とスタンバイ状態との間で切り替えが可能であり、
前記認証部は、前記ＩＰ電話機からのログイン認証要求に示される指令グループに対応する運用状態がアクティブ状態の場合に、前記ＩＰ電話機に対する認証を行い、当該運用状態がスタンバイ状態の場合には、前記ＩＰ電話機に対する認証を行わず、
前記ＩＰ電話機は、自己が属する指令グループが予め定められており、
前記ログイン認証要求部は、前記自己が属する指令グループを示したログイン認証要求を前記優先順位記憶部に記憶された各ＩＰ通信指令交換機に対して行う、
ことを特徴とするＩＰ通信指令システム。
【発明の詳細な説明】
【技術分野】
【０００１】
本発明は、指令卓より指定された任意の指令電話端末に対して一斉指令放送を行う通信指令システムに関する。
【背景技術】
【０００２】
通信システムの一つとして、電話端末或いは一斉指令専用端末から、任意に指定された幾つかの電話端末に対して一斉指令放送として片方向通信を行う通信指令システムが知られている。
【０００３】
特許文献１には、消防指令装置の故障のような非常時に、加入者回路から発信することで指令電話端末が着信し、指令電話端末の受話器がオフフックされると、受話器から加入者回路を通して指令電話端末に音声指令を行う自動指令放送装置が開示されている。
【０００４】
特許文献２には、指令台より指令端末装置に対して一斉指令を行った場合、応答しない端末装置や話中の指令端末装置があっても、それらの指令端末装置のみに対して再呼出しをする指令電話交換システムが開示されている。
【０００５】
ところで、近年、インターネットの急速な普及に伴い、ＩＰネットワークを介してＳＩＰ（Ｓｅｓｓｉｏｎ  Ｉｎｉｔｉａｔｉｏｎ  Ｐｒｏｔｏｃｏｌ）に従った呼制御を行うＩＰ電話システムが注目されており、一斉指令放送を行う通信指令システムをＳＩＰに従ったシステム（以下、「ＩＰ通信指令システム」と称す）において提供することへの関心も高まっている。
【先行技術文献】
【特許文献】
【０００６】
【特許文献１】特開平７−４６２０７号公報
【特許文献２】特開平７−７９２８７号公報
【発明の概要】
【発明が解決しようとする課題】
【０００７】
通信指令システムは、例えば鉄道会社の統合司令室から各主要駅への指令を行うシステム等に適用されることがある。このような鉄道会社等で用いられるシステムでは、あらゆる場面を想定して、システム障害等の不具合に対する対策を講じておく必要がある。
【０００８】
このような不具合対策は、ＳＩＰに従ったＩＰ通信指令システムを導入する場合にも考慮する必要がある。
【０００９】
本発明は、たとえ不具合が発生したとしても、その不具合の影響を少なくすることを考慮した一斉指令放送をＳＩＰに従って受信するＩＰ電話機或いはＩＰ通信指令システムを提供することを目的とする。
【課題を解決するための手段】
【００１０】
本発明に係るＩＰ電話機は、ログイン済みのＩＰ通信指令交換機を介して指令卓からの一斉指令放送をＳＩＰに従って受信するＩＰ電話機であって、複数のＩＰ通信指令交換機に対する優先順位を記憶する優先順位記憶部と、一斉指令放送を受信するためのログイン認証要求を前記優先順位記憶部に記憶された各ＩＰ通信指令交換機に対して定期的に行うログイン認証要求部と、ログイン済みのＩＰ通信指令交換機が複数存在する場合には、前記優先順位記憶部を参照して、最も優先順位の高いログイン済みのＩＰ通信指令交換機を介した指令卓からの一斉指令放送を受信する受信処理部と、を備えることを特徴とする。
【００１１】
本発明に係るＩＰ電話機によれば、一斉指令放送を受信するためのログイン要求が各ＩＰ通信指令交換機に対して定期的に行われるとともに、ログイン済みのＩＰ通信指令交換機が複数存在する場合には、最も優先順位の高いログイン済みのＩＰ通信指令交換機を介した指令卓からの一斉指令放送が受信される。よって、たとえ一のＩＰ指令交換機に不具合が発生したとしても、他のＩＰ通信指令交換機のいずれかを介して一斉指令放送を受信することができるので、不具合の影響を少なくすることができる。
【００１２】
本発明に係るＩＰ通信指令システムは、指令卓を収容する複数のＩＰ通信指令交換機と、ログイン済みのＩＰ通信指令交換機を介して指令卓からの一斉指令放送をＳＩＰに従って受信するＩＰ電話機とを備えるＩＰ通信指令システムであって、前記ＩＰ通信指令交換機は、それぞれ予め認証を許可するＩＰ電話機に対する認証情報を記憶する認証情報記憶部と、前記ＩＰ電話機からのログイン認証要求により示された認証情報と、前記認証情報記憶部に記憶された認証情報との比較に基づいて前記ＩＰ電話機に対する認証を行う認証部と、を備え、前記ＩＰ電話機は、複数のＩＰ通信指令交換機に対する優先順位を記憶する優先順位記憶部と、一斉指令放送を受信するためのログイン認証要求を前記優先順位記憶部に記憶された各ＩＰ通信指令交換機に対して行うログイン認証要求部と、ログイン済みのＩＰ通信指令交換機を介した指令卓からの一斉指令放送をＳＩＰに従って受信し、且つログイン済みのＩＰ通信指令交換機が複数存在する場合には、前記優先順位記憶部を参照して、最も優先順位の高いログイン済みのＩＰ通信指令交換機を介した指令卓からの一斉指令放送を受信する受信処理部と、を備えることを特徴とする。
【００１３】
本発明に係るＩＰ通信指令システムによれば、一斉指令放送を受信するためのログイン要求がＩＰ電話機によって各ＩＰ通信指令交換機に対して定期的に行われるとともに、ログイン済みのＩＰ通信指令交換機が複数存在する場合には、最も優先順位の高いログイン済みのＩＰ通信指令交換機を介した指令卓からの一斉指令放送がＩＰ電話機によって受信される。よって、たとえ一のＩＰ指令交換機に不具合が発生したとしても、他のＩＰ通信指令交換機のいずれかを介してＩＰ電話機が一斉指令放送を受信することができるので、不具合の影響を少なくすることができる。
【００１４】
本発明に係るＩＰ通信指令システムの一つの態様では、前記ＩＰ通信指令交換機は、複数の指令卓を収容し、それぞれの指令卓が属する指令グループごとに運用状態をアクティブ状態とスタンバイ状態との間で切り替えが可能であり、前記認証部は、前記ＩＰ電話機からのログイン認証要求に示される指令グループに対応する運用状態がアクティブ状態の場合に、前記ＩＰ電話機に対する認証を行い、当該運用状態がスタンバイ状態の場合には、前記ＩＰ電話機に対する認証を行わず、前記ＩＰ電話機は、自己が属する指令グループが予め定められており、前記ログイン認証要求部は、前記自己が属する指令グループを示したログイン認証要求を前記優先順位記憶部に記憶された各ＩＰ通信指令交換機に対して行うことを特徴とする。
【００１５】
本発明に係るＩＰ通信指令システムの一つの態様によれば、例えば指令卓の指令グループごとにＩＰ通信指令交換機の運用状態を変えることで、通常時は、指令卓ごとに異なるＩＰ通信指令交換機を介してＩＰ電話機が一斉指令放送を受信し、且つ障害発生時は、障害が発生していない他のＩＰ通信指令交換機を介して複数の指令グループの指令卓からの一斉指令放送をＩＰ電話機が受信することができ、障害による影響を抑えることができる。
【発明の効果】
【００１６】
本発明によれば、複数のＩＰ通信指令交換機に対してＩＰ電話機が定期的にログイン認証要求を行い、複数のＩＰ通信指令交換機に対してログイン認証を済ましておくことで、たとえ一のＩＰ指令交換機に不具合が発生したとしても、他のＩＰ通信指令交換機のいずれかを介して一斉指令放送を受信することができるので、不具合の影響を少なくすることができる。
【図面の簡単な説明】
【００１７】
【図１】本発明を実施するための形態に係るＩＰ通信指令システムの全体構成を示すブロック図である。
【図２】本発明を実施するための形態に係るＩＰ電話機の機能ブロックを示す図である。
【図３】本発明を実施するための形態に係るＩＰ電話機が備える優先順位記憶部に記憶される優先順位の一例を示す図である。
【図４】ＩＰ電話機が通信指令システムにログインする際にＩＰ通信指令交換機との間で実行されるシーケンスを示す図である。
【図５】ＩＰ電話機がＩＰ通信指令交換機を介して指令卓から着信通知メッセージを受信した場合のＩＰ電話機における処理手順を示すフローチャートである。
【図６】上記本発明を実施するための形態の変形例に係るＩＰ通信指令システムの全体構成を示すブロック図である。
【図７】同変形例に係るＩＰ通信指令交換機の記憶装置に記憶される指令グループごとの運用状態を示す情報の一例を示す図である。
【発明を実施するための形態】
【００１８】
本発明を実施するための形態（以下、「実施形態」と称す）について、以下図面を用いて説明する。
【００１９】
図１は、本実施形態に係るＩＰ通信指令システムの全体構成を示すブロック図である。本実施形態に係るＩＰ通信指令システムは、例えば鉄道会社の統合司令室から各主要駅への指令を行うシステム等に適用され、統合司令室等に設置された指令卓が、ＳＩＰに従って、ＩＰ通信指令交換機を介して、主要駅等に設置されたＩＰ電話機と双方向通話路を確立して、一斉指令放送を行う。
【００２０】
本実施形態に係るＩＰ通信指令システムでは、統合司令室を２カ所配備し、各統合司令室にＩＰ通信指令交換機をそれぞれ設置することで、二重化構成としていることを特徴とする。詳細は後述するが、本実施形態では、ＩＰ電話機が、各ＩＰ通信指令交換機に対してログイン認証処理を順次実行し、ログイン認証済みのＩＰ通信指令交換機を介して指令卓からの一斉指令放送を受信する。また、ＩＰ電話機は、一斉放送指令を受信するＩＰ指令交換機の優先順位を記憶しており、ログイン認証処理により複数のＩＰ通信指令交換機とログイン認証に成功した場合には、優先順位に従って、最も優先順位の高いＩＰ通信指令交換機を介して指令卓からの一斉指令放送を受信する。
【００２１】
本実施形態に係るＩＰ通信指令システムは、図１に示すように、ＩＰ通信指令交換機１００ＡとＩＰ通信指令交換機１００Ｂとを備える。なお、ＩＰ通信指令交換機１００Ａ及びＩＰ通信指令交換機１００Ｂをそれぞれ一意に特定する情報として、適宜「ＳＳ１」及び「ＳＳ２」を用いる。また、ＩＰ通信指令交換機１００ＡとＩＰ通信指令交換機１００Ｂとは同一の構成でよく、以下、説明を簡略化するため、特に区別して説明する必要がない場合には、「Ａ」と「Ｂ」を省略して、ＩＰ通信指令交換機１００と総称する。ＩＰ通信指令交換機１００Ａ及びＩＰ通信指令交換機１００Ｂが備える各部を示す符号についても、特に区別する必要がない場合には、「Ａ」と「Ｂ」を省略し、総称して説明する。
【００２２】
ＩＰ通信指令交換機１００には、一斉指令放送の送信側となる指令卓１０が接続ケーブル１２を介して接続され、さらにインターネット等のＩＰ網３０を介して複数のＩＰ電話機２０−１，２０−２，２０−３（以下、区別する必要がない場合には、総称して「ＩＰ電話機２０」と称す）が接続されている。
【００２３】
ＩＰ通信指令交換機１００は、通話路スイッチ（ＴＳＷ）１１０と、中央制御装置１２０と、記憶装置１３０と、制御バス１４０と、ＳＩＰ電話機制御ボード（ＳＩＰＬ）２２と、回線接続制御ボード（ＴＲＫ）１４と、運用状態切替部２４とを備える。
【００２４】
中央制御装置１２０は、ＣＰＵ，ＲＯＭ，ＲＡＭを備えるマイクロコンピュータであり、記憶装置１３０に記憶された各種プログラムを実行することで、制御バス１４０を介してＩＰ通信指令交換機１００全体を制御する。記憶装置１３０は、制御バス１４０を介して中央制御装置１２０と接続される。記憶装置１３０は、ＩＰ電話機２０からの要求に基づいて当該ＩＰ電話機２０のログイン認証を行うログイン認証部として機能するプログラムや指令卓１０とＩＰ電話機２０との間の双方向通話路の確立や切断、双方向通話路を介した音声情報等の中継を制御するための交換制御プログラムなどを記憶する。さらに、記憶装置１３０は、認証が許可されるＩＰ電話機２０の認証情報が記憶され、ＩＰ電話機２０のログイン認証を行う際に中央制御装置１２０によって参照される認証情報記憶部や、交換制御プログラムに基づく制御を行う際に中央制御装置１２０によって参照される局データ等の制御データを記憶する。また、記憶装置１３０は、各種プログラムを実行する際に中央制御装置１２０によって利用されるデータを一時的に記憶する。
【００２５】
通話路スイッチ１１０は、中央制御装置１２０と制御バス１４０とを介して接続され、中央制御装置１２０の制御により、指令卓１０とＩＰ電話機２０との間の双方向通話路の確立や切断等を行う。
【００２６】
ＳＩＰ電話機制御ボード２２は、ＳＩＰに従ってＩＰ電話機２０との間のデータの送受信を制御するインタフェースである。ＳＩＰ電話機制御ボード２２は、接続ケーブル３２を介してＩＰ網３０に接続される。なお、各ＩＰ電話機２０は接続ケーブル３４−１〜３４−３（総称：接続ケーブル３４）を介してＩＰ網３０に接続される。
【００２７】
ＳＩＰ電話機制御ボード２２は、ＩＰ網３０を介してＩＰ電話機２０から受信した、ログイン認証要求メッセージや、着呼に対する応答メッセージや切断要求メッセージなどのＳＩＰ呼制御情報等を中央制御装置１２０に通知する。さらに、ＳＩＰ電話機制御ボード２２は、中央制御装置１２０から通知される、ログイン認証応答メッセージや、着呼通知メッセージ、切断通知メッセージなどのＳＩＰ呼制御情報をＩＰ網３０を介してＩＰ電話機２０に送信し、ＩＰ電話機２０に対するログイン認証処理、呼接続や切断等を行う。
【００２８】
回線接続制御ボード１４は、ＩＰ通信指令交換機１００と指令卓１０とを接続するためのインタフェースである。回線接続制御ボード１４は、不図示のマイクロコンピュータを内蔵し、マイクロコンピュータの制御に基づき、接続ケーブル１２を介して指令卓１０から受信した、一斉指令放送の開始を要求する発呼要求メッセージや切断要求メッセージなどの呼制御情報を中央制御装置１２０に通知する。さらに、回線接続制御ボード１４は、中央制御装置１２０から通知される、着呼通知メッセージ、切断通知メッセージなどの呼制御情報を接続ケーブル１２を介して指令卓１０に送信し、指令卓１０の呼接続や切断等の制御を行う。
【００２９】
運用状態切替部２４は、ＩＰ通信指令交換機１００の運用状態をアクティブ状態とスタンバイ状態との間で切り替える切替スイッチであり、必要に応じて手動で切り替え操作が行われる。なお、アクティブ状態は、ＩＰ通信指令交換機１００が一斉指令放送に関わる全般の処理を実行する状態であり、ＩＰ通信指令交換機１００は、ＩＰ電話機２０からログイン認証要求メッセージを受信した場合には、ログイン認証処理を行い、その結果を応答メッセージとしてＩＰ電話機２０に送信する。一方、スタンバイ状態は、ＩＰ通信指令交換機１００が一斉指令放送に関わる処理を行わない待機状態であり、ＩＰ通信指令交換機１００はＩＰ電話機２０からログイン認証要求メッセージを受信した場合にも、ログイン認証処理を行わず、応答メッセージもＩＰ電話機２０に送信しない。
【００３０】
図２は、ＩＰ電話機２０の機能ブロックを示す。図２に示すように、ＩＰ電話機２０は、電話機全体を制御するＣＰＵ２１０、ＢＩＯＳプログラムなどの基本的な制御プログラムを記憶するＲＯＭ２１２、各プログラムの実行時に使用されるＲＡＭ２１４、ログイン認証処理や呼制御等の各処理プログラム等を記憶する記憶装置２２０を備える。
【００３１】
記憶装置２２０は、プログラム２３０として、各ＩＰ通信指令交換機１００に対して定期的にログイン認証要求を行うログイン認証要求部２３２と、各ＩＰ通信指令交換機１００から送信された一斉指令放送の受信処理を行う受信処理部２３４とを記憶する。さらに、記憶装置２２０は、優先順位記憶部２４０を記憶する。優先順位記憶部２４０は、複数のＩＰ通信指令交換機１００とログイン認証に成功した場合、どのＩＰ通信指令交換機１００からの着呼通知メッセージを自身宛のメッセージとして受信するか判断するための各ＩＰ通信指令交換機の優先順位を記憶する。
【００３２】
図３は、優先順位記憶部２４０に記憶された各ＩＰ通信指令交換機の優先順位の一例を示す。図３に示す優先順位の場合は、ＩＰ通信指令交換機１００Ａ（ＳＳ１）の方がＩＰ通信指令交換機１００Ｂ（ＳＳ２）よりも順位が高いことを示す。したがって、ＩＰ電話機２０は、ＩＰ通信指令交換機１００Ａ（ＳＳ１）及びＩＰ通信指令交換機１００Ｂ（ＳＳ２）のいずれもログイン認証に成功している場合には、ＩＰ通信指令交換機１００Ａ（ＳＳ１）からの着呼通信メッセージを受信して、ＩＰ通信指令交換機１００Ａ（ＳＳ１）を介した指令卓１０との双方向通話路の確立を行う。一方、ＩＰ電話機２０は、ＩＰ通信指令交換機１００Ｂ（ＳＳ２）からの着呼通信メッセージを受信した場合には、そのメッセージは自身宛ではないと判断して、ＩＰ通信指令交換機１００Ｂ（ＳＳ２）を介した指令卓１０との双方向通話路の確立は行わない。
【００３３】
また、図２において、ＩＰ電話機２０は、ＩＰ通信指令交換機１００とＩＰ網３０とを介して接続され、指令卓１０との間に通話路を確立する通信部２５１と、音声の入出力を行う送受話部２５２と、音声の出力を行うスピーカ部２５３と、ユーザが着信時の応答を行うための操作等を行う操作部２５４とを備える。
【００３４】
このように構成されたＩＰ電話機２０において、ＣＰＵ２１０は、自身宛の一斉指令放送に対する着信通知メッセージの場合には、ＩＰ通信指令交換機１００から一斉指令放送の着信通知メッセージを通信部２５１を介して受信し、その着信通知メッセージの受信に対応して、一斉指令放送用の音声情報をスピーカ部２５３から拡声出力する。
【００３５】
続いて、ＩＰ通信指令交換機１００とＩＰ電話機２０との間のシーケンスを基に、本実施形態に係るＩＰ通信指令システムの動作手順について説明する。
【００３６】
図４は、ＩＰ電話機２０が通信指令システムにログインする際にＩＰ通信指令交換機１００との間で実行されるシーケンスである。当該シーケンスは、ＩＰ電話機２０がＩＰ網３０に接続された後、定期的に実行される。
【００３７】
図４において、まず、ＩＰ通信指令交換機１００Ａがアクティブ状態で、ＩＰ通信指令交換機１００Ｂがスタンバイ状態に設定されている。この状態で、ＩＰ電話機２０がＩＰ網３０に接続されると、優先順位記憶部２４０を参照して、ログイン認証要求を行う対象となる各ＩＰ通信指令交換機１００に対して、例えば優先順位に従ってログイン要求を順次行う。
【００３８】
図４では、ＩＰ電話機２０は、ＩＰ網３０に接続されると、ＩＰ通信指令交換機１００Ａに対して、認証情報が付与されていないＲＥＧＩＳＴＥＲメッセージを送信する（Ｓ１０）。ＩＰ通信指令交換機１００Ａは、アクティブ状態のため、ＳＩＰ電話機制御ボード（ＳＩＰＬ）２２を介してＲＥＧＩＳＴＥＲメッセージを受信する。ＩＰ通信指令交換機１００Ａは、受信したＲＥＧＩＳＴＥＲメッセージが認証付きではないため、４０１  ＵｎａｕｔｈｏｒｉｚｅｄメッセージをＩＰ電話機２０に送信する（Ｓ１２）。
【００３９】
ＩＰ電話機２０は、４０１  Ｕｎａｕｔｈｏｒｉｚｅｄメッセージを受けて、予めＲＯＭ２１２等に記憶されているユーザＩＤやパスワード等に基づいて認証情報を生成し、生成した認証情報を付与したＲＥＧＩＳＴＥＲ（認証付）メッセージを送信する（Ｓ１４）。続いて、ＩＰ通信指令交換機１００Ａは、中央制御装置１２０において、受信した認証情報に基づくＩＰ電話機２０の認証を行う。ＩＰ通信指令交換機１００Ａは、認証に成功した場合には、ＳＩＰ電話機制御ボード２２を介してＩＰ電話機２０に対して２００  ＯＫメッセージを送信する（Ｓ１６）。以上、ステップＳ１０〜Ｓ１６までの処理を実行することで、ＩＰ電話機２０は、ＩＰ通信指令交換機１００Ａへのログイン認証が完了する。つまり、ＩＰ電話機２０は、ＩＰ通信指令交換機１００Ａからの着信通知メッセージの受信が可能な状態となる。
【００４０】
一方、ＩＰ通信指令交換機１００Ｂに対しても、ＩＰ電話機２０が認証情報の付与されていないＲＥＧＩＳＴＥＲメッセージを周期的に送信する。しかし、スタンバイ状態のＩＰ通信指令交換機１００Ｂからは、何ら応答がなく（Ｓ２０，Ｓ２２）、ログイン認証は行われない。しかし、アクティブ状態に切り替わった後に、ＩＰ電話機２０からＲＥＧＩＳＴＥＲメッセージが送信されると（Ｓ３０）、ＩＰ通信指令交換機１００Ａの場合と同様に、ＩＰ通信指令交換機１００Ｂは、４０１  ＵｎａｕｔｈｏｒｉｚｅｄメッセージをＩＰ電話機２０に送信する（Ｓ３２）。
【００４１】
ＩＰ電話機２０は、４０１  Ｕｎａｕｔｈｏｒｉｚｅｄメッセージを受けて、認証情報を付与したＲＥＧＩＳＴＥＲ（認証付）メッセージを送信し（Ｓ３４）、ＩＰ通信指令交換機１００Ｂは、中央制御装置１２０Ｂにおいて、受信した認証情報に基づくＩＰ電話機２０の認証を行う。ＩＰ通信指令交換機１００Ｂは、認証に成功した場合には、ＩＰ電話機２０に対して２００  ＯＫメッセージを送信する（Ｓ３６）。
【００４２】
以上のように、ＩＰ電話機２０は、定期的に各ＩＰ通信指令交換機１００に対してログイン認証要求を行うことで、各ＩＰ通信指令交換機１００の状態を確認する。
【００４３】
続いて、図５を参照して、ＩＰ電話機２０がＩＰ通信指令交換機１００を介して指令卓から着信通知メッセージを受信した場合のＩＰ電話機２０における処理手順について説明する。
【００４４】
図５において、ＩＰ電話機２０は、ＩＰ通信指令交換機１００を介して指令卓１０からの着信通知メッセージを受信すると（Ｓ１００）、すでにログイン認証済みのＩＰ通信指令交換機が複数存在するかどうかを判定する（Ｓ１０２）。判定の結果、ログイン認証済みのＩＰ通信指令交換機が一つのみの場合には（ステップＳ１０２の判定結果が、否定「Ｎ」）、ＩＰ通信指令交換機１００に対して着信応答メッセージを送信し、指令卓１０との間に双方向通信路を形成し、一斉指令放送の受信を開始する（Ｓ１０６）。
【００４５】
一方、ログイン認証済みのＩＰ通信指令交換機が複数存在する場合には（ステップＳ１０２の判定結果が、肯定「Ｙ」）、優先順位記憶部２４０を参照して、ログイン認証済みのＩＰ通信指令交換機の中で、今回の着信メッセージの送信元のＩＰ通信指令交換機１００が最も優先順位が高いかどうかを判定する（Ｓ１０４）。判定の結果、最も優先順位が高ければ（ステップＳ１０４の判定結果が、肯定「Ｙ」）、ＩＰ電話機２０は、ＩＰ通信指令交換機１００に対して着信応答メッセージを送信し、指令卓１０との間に双方向通信路を形成し、一斉指令放送の受信を開始する（Ｓ１０６）。
【００４６】
一方、優先順位が最も高くなければ（ステップＳ１０４の判定結果が、否定「Ｎ」）、ＩＰ電話機２０は、着信通知メッセージに対して応答せずに、処理を終了する。
【００４７】
以上のように、本実施形態に係るＩＰ通信指令システムでは、ＩＰ通信指令交換機１００を複数設置し、さらに、ＩＰ電話機２０が、それぞれのＩＰ通信指令交換機１００に対して定期的にログイン認証要求を行う。また、ＩＰ電話機２０はそれぞれ個別にＩＰ通信指令交換機１００に対する優先順位を記憶している。ＩＰ電話機２０は、複数のＩＰ通信指令交換機１００との間でログイン認証に成功している場合には、優先順位に従って最も優先順位の高いＩＰ通信指令交換機１００からの着信通知メッセージに対してのみ応答を行い、当該ＩＰ通信指令交換機１００を介した一斉指令放送の受信を行う。
【００４８】
本実施形態によれば、それぞれのＩＰ電話機２０において、個別にＩＰ通信指令交換機１００に対する優先順位を定めることができる。したがって、例えば、複数のＩＰ通信指令交換機１００をアクティブ状態にしておき、それぞれのＩＰ電話機２０において異なるＩＰ通信指令交換機１００を介した一斉指令放送の受信をするように構成することができる。
【００４９】
例えば、新駅の開通に伴い、新たな統合司令室の設置、及び新駅へのＩＰ電話機の設置を行い、既存のシステムとの統合を進める場合がある。このような場合、新たな統合司令室に新たなＩＰ通信指令交換機を設置するとともに、新駅に新たに設置されるＩＰ電話機に対して、当該新たなＩＰ通信指令交換機を最も優先順位が高いＩＰ通信指令交換機として登録しおく。このように構成することで、ＩＰ通信指令交換機やＩＰ電話機等の機器の新規の導入段階において、既存の機器に対する影響を最小限に抑えることができる。その後、支障がなければ、例えば、既存の駅のＩＰ電話機に登録された最も高いＩＰ通信指令交換機の優先順位を段階的に、新たなＩＰ通信指令交換機に変更していく。このようにすることで、段階的に既存のＩＰ通信指令交換機から新たなＩＰ通信指令交換機にシステムの移行を行える。つまり、たとえ障害が発生したとしても段階的に切り替えが行えるため、障害時の切り分け作業が容易になる。また、複数のＩＰ通信指令交換機を併用運用することで、リスク分散することができる。
【００５０】
続いて、上記実施形態の変形例として、指令内容が異なる指令グループごとに指令卓を設ける場合について説明する。
【００５１】
図６は、変形例に係るＩＰ通信指令システムの全体構成を示すブロック図である。図６に示すように、指令内容が異なる指令グループごとに指令卓１０を設けている点で、上記の実施形態と異なる。また、指令グループごとにアクティブ状態とスタンバイ状態との間での切り替えを行うための切り替え命令を出力する保守端末２５が設けられている点で、上記の実施形態と異なる。ユーザが保守端末２５を介して、切り替え命令を中央制御装置１２０に対して行うと、中央制御装置１２０が、切り替え命令を受けて指令グループごとにアクティブ状態とスタンバイ状態の切り替えを行い、その切り替え状態（運用状態）を記憶装置１３０に記憶する。記憶装置１３０に記憶される切り替え状態の情報は、例えば、図７に示すような情報である。ＩＰ電話機２０は、自己が属する指令グループごとにログイン認証要求を行い、ログイン認証の対象の指令グループがアクティブ状態であるＩＰ通信指令交換機との間でログイン認証処理が実行される。
【００５２】
変形例では、各ＩＰ電話機２０は、それぞれ何れかの指令グループに属しており、自己が属する指令グループを示してログイン認証要求をそれぞれのＩＰ通信指令交換機１００に対して行う。ＩＰ通信指令交換機１００は、指令グループが示されたログイン認証要求を受けて、記憶装置１３０に記憶された運用状態を確認し、指定された指令グループに対する運用状態がアクティブ状態の場合には、当該ログイン認証要求に対する認証処理を行う。一方、ＩＰ通信指令交換機１００は、指定された指令グループに対する運用状態がスタンバイ状態の場合には、当該ログイン認証要求に対する認証処理を行わない。
【００５３】
変形例では、指令グループごとにアクティブ状態となるＩＰ通信指令交換機を異ならせることで、通常時は、指令グループごとに異なるＩＰ通信指令交換機で運用しつつ、障害発生時は、障害が発生していないＩＰ通信指令交換機がまとめて複数の指令グループの一斉指令放送を中継するように運用することで、障害による影響を少なくすることができる。
【００５４】
上記のように、複数のＩＰ通信指令交換機に対してＩＰ電話機が定期的にログイン認証要求を行い、複数のＩＰ通信指令交換機に対してログイン認証を済ましておくことで、たとえ障害等が発生しても、短時間で代わりのＩＰ通信指令交換機を介して一斉指令放送が再開できるため、障害による影響を少なくすることができる。
【産業上の利用可能性】
【００５５】
本発明は、複数のＩＰ通信指令交換機に対してＩＰ電話機が定期的にログイン認証要求を行い、複数のＩＰ通信指令交換機に対してログイン認証を済ましておくことで、たとえ一のＩＰ指令交換機に不具合が発生したとしても、他のＩＰ通信指令交換機のいずれかを介して一斉指令放送を受信することができるので、不具合の影響を少なくすることができる。よって、本発明は、鉄道会社等の統合司令室の指令卓から各主要駅等のＩＰ電話機への一斉指令放送を行うＩＰ通信指令システム等に適用することができる。
【符号の説明】
【００５６】
１０Ａ、１０Ｂ      指令卓
１４ａ、１４Ｂ      回線接続制御ボード（ＴＲＫ）
２０−１、２０−２、２０−３  ＩＰ電話機
２２Ａ、２２Ｂ      ＩＰ電話機制御ボード（ＳＩＰＬ）
２４Ａ，２４Ｂ      運用状態切替部
２５Ａ，２５Ｂ      保守端末
１００Ａ，１００Ｂ  ＩＰ通信指令交換機
１１０Ａ，１１０Ｂ  通話路スイッチ
１２０Ａ，１２０Ｂ  中央制御装置
１３０Ａ，１３０Ｂ  記憶装置
１４０Ａ，１４０Ｂ  制御バス
２１０              ＣＰＵ
２１２              ＲＯＭ
２１４              ＲＡＭ
２２０              記憶装置
２３０              プログラム
２３２              ログイン認証要求部
２３４              受信処理部
２４０              優先順位記憶部
２５１              通信部
２５２              送受話部
２５３              スピーカ部
２５４              操作部
【図１】
2010287960.tif 000003
【図２】
2010287960.tif 000004
【図３】
2010287960.tif 000005
【図４】
2010287960.tif 000006
【図５】
2010287960.tif 000007
【図６】
2010287960.tif 000008
【図７】
2010287960.tif 000009